(57)【特許請求の範囲】
【請求項１】
ブリッジの両端側で、該ブリッジに対してレンズ面と略平行な方向にそれぞれ回動自在に軸支された一対のレンズ部材を備えた折り畳み式眼鏡において、
使用状態では一対のレンズ部材がいずれも略同一平面内に配置されると共に、
各レンズ部材を折り畳んで重ね合わせる場合には、各レンズ部材が干渉しない位置となるように、前記ブリッジとレンズ部材との回動軸を前記平面に対してそれぞれ傾けてなることを特徴とする折り畳み式眼鏡。
【請求項２】
前記レンズ部材は、レンズと、該レンズを保持するリムと、を有すると共に、該リムを前記ブリッジに対して回動自在に設けたことを特徴とする請求項１に記載の折り畳み式眼鏡。
【請求項３】
前記ブリッジに、リムを回動自在に支持する、レンズ面に対して傾斜した切欠きを設けたことを特徴とする請求項２に記載の折り畳み式眼鏡。
【請求項４】
前記リムに、ブリッジを回動自在に支持する、レンズ面に対して傾斜した切欠きを設けたことを特徴とする請求項２に記載の折り畳み式眼鏡。
【請求項５】
レンズ自体を前記ブリッジに対して回動自在に設けたことを特徴とする請求項１に記載の折り畳み式眼鏡。
【発明の詳細な説明】
【０００１】
【発明の属する技術分野】
本発明は、携帯する際などに折り畳み可能な、折り畳み式眼鏡に関するものである。
【０００２】
【従来の技術】
従来より、この種の折り畳み式眼鏡としては、たとえば、実願昭６２−１２０７２２号公開公報に開示された技術がある。
【０００３】
以下、図１２〜図１４を参照して、従来技術に係る折り畳み式眼鏡について説明する。
【０００４】
図１２は従来技術に係る折り畳み式眼鏡の正面図であり、図１３は従来技術に係る折り畳み式眼鏡の平面図であり、図１４は従来技術に係る折り畳み式眼鏡を折り畳んだ状態を示す正面図である。
【０００５】
図１２および図１３に示したように、従来技術に係る折り畳み式眼鏡１００は、概略、ブリッジ１０３と、ブリッジ１０３の両端に備えられる一対のリム１０１ａ，１０１ｂと、リム１０１ａ，１０１ｂにそれぞれ保持されるレンズ１０２ａ，１０２ｂと、智１０４と、テンプル１０５と、から構成される。
【０００６】
ここで、ブリッジ１０３は、リム１０１ａ側に固定される第１ブリッジ１０３ａと、リム１０１ｂ側に固定される第２ブリッジ１０３ｂとから構成されており、これら第１ブリッジ１０３ａと第２ブリッジ１０３ｂを重ね合わせると共に、レンズ面と略垂直な軸心１０３ｃを中心にそれぞれ回動自在に構成されている。
【０００７】
したがって、眼鏡を使用しない、例えば携帯の際には、第１ブリッジ１０３ａと第２ブリッジ１０３ｂを回動させることによって、リム１０１ａ（レンズ１０２ａ）と、リム１０１ｂ（レンズ１０２ｂ）とを、レンズ面と略平行な方向に回動させて、各々を重ね合わせて折り畳むことができた。
【０００８】
なお、智１０４と、テンプル１０５とは、一般的な眼鏡と同様に丁番構造によりテンプル１０５を折り畳むことができるので、テンプル１０５を折り畳んだ後に、上述したようにリム１０１ａと、リム１０１ｂとを、重ね合わせて折り畳むことで、図１４に示すように、コンパクトな状態にすることができた。
【０００９】
【発明が解決しようとする課題】
しかしながら、上記のような従来技術の場合には、下記のような問題が生じていた。
【００１０】
上述した構成の場合には、唯一の軸心１０３ｃを中心に、左右一対のリム，レンズ等を回動させるため、２つのブリッジ（第１ブリッジ１０３ａ，第２ブリッジ１０３ｂ）を重ね合わせていたために、リム，レンズ等が同一面上にない（左右対称でない）ように配置されてしまっていた。
【００１１】
したがって、使用時（眼鏡装着時）においては、目からレンズまでの距離（図１３中Ｘ，Ｙ）が左右で等しくならず、機能性低下（矯正能力の悪化）の原因になっていた。
【００１２】
なお、このような距離の相違を考慮して、レンズの形状や曲率を左右で変えることで、使用時における左右のアンバランスを補正することは、ある程度可能であるが、使用する人の顔の形状や目の位置が異なるため、適正に対処させるのは困難であった。
【００１３】
また、左右の距離の差（ＸとＹの差）を少しでも縮めるために、それぞれを密な状態で配置させた場合には、折り畳む際にリムやレンズが擦れてしまいやすく、傷などが生じる原因となっていた。
【００１４】
本発明は上記の従来技術の課題を解決するためになされたもので、その目的とするところは、矯正能力を悪化させたり傷を発生させることのない品質に優れた折り畳み式眼鏡を提供することにある。
【００１５】
【課題を解決するための手段】
上記目的を達成するために本発明にあっては、ブリッジの両端側で、該ブリッジに対してレンズ面と略平行な方向にそれぞれ回動自在に軸支された一対のレンズ部材を備えた折り畳み式眼鏡において、
使用状態では一対のレンズ部材がいずれも略同一平面内に配置されると共に、各レンズ部材を折り畳んで重ね合わせる場合には、各レンズ部材が干渉しない位置となるように、前記ブリッジとレンズ部材との回動軸を前記平面に対してそれぞれ傾けてなることを特徴とする。
【００１６】
したがって、眼鏡を装着する使用状態では、一対のレンズ部材がいずれも略同一平面内に配置されると共に、折り畳む際には、各レンズ部材が干渉することはない。
【００１７】
前記レンズ部材は、レンズと、該レンズを保持するリムと、を有すると共に、該リムを前記ブリッジに対して回動自在に設けるとよい。
【００１８】
前記ブリッジに、リムを回動自在に支持する、レンズ面に対して傾斜した切欠きを設けるとよい。
【００１９】
前記リムに、ブリッジを回動自在に支持する、レンズ面に対して傾斜した切欠きを設けることも可能である。
【００２０】
また、レンズ自体を前記ブリッジに対して回動自在に設けることもできる。
【００２１】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がないかぎりは、この発明の範囲をそれらのみに限定する趣旨のものではない。
【００２２】
（実施の形態）
図１〜図８を参照して、本発明の実施の形態に係る折り畳み式眼鏡について説明する。
【００２３】
なお、図１〜図３は眼鏡を装着する使用状態時における、本発明の実施の形態に係る折り畳み式眼鏡の概略構成図を示しており、図１は正面図、図２は平面図、図３は側面図を示している。
【００２４】
また、図４〜図６は、携帯時などの際の、眼鏡を折り畳んだ状態時における、本発明の実施の形態に係る折り畳み式眼鏡の概略構成図を示しており、図４，図５は正面図で図４はテンプルを除く構成のみを示しており、図６は平面図を示している。
【００２５】
図に示したように、本実施の形態に係る折り畳み式眼鏡１は、概略、ブリッジ４と、ブリッジ４の両端に備えられる一対のリム３ａ，３ｂと、リム３ａ，３ｂにそれぞれ保持されるレンズ２ａ，２ｂと、智６と、テンプル７と、から構成される。
【００２６】
なお、レンズ２ａ，２ｂやリム３ａ，３ｂはレンズ部材の構成部材である。
【００２７】
ここで、智６と、テンプル７については、一般的な眼鏡と同様に回動部６ａを中心に図２中Ｒ３方向に回動自在に構成されている。
【００２８】
また、本実施の形態においては、テンプル７を、２部材、すなわち、智６の側の第１テンプル７ａおよび耳に装着する側の第２テンプル７ｂから構成し、回動部７ｃを中心に図３中Ｒ４方向に回動自在に構成されている。
【００２９】
なお、回動部６ａや回動部７ｃの回動構造については適宜公知技術を適用すれば良いので、詳しい説明は省略する。
【００３０】
そして、本実施の形態の特徴として、ブリッジ４の両端側にそれぞれ回動部５ａ，５ｂを設けて、リム３ａ，３ｂを図１中Ｒ１方向，Ｒ２方向に回動自在な構成としている。
【００３１】
したがって、眼鏡を使用しない、例えば携帯の際には、リム３ａ，３ｂを回動させることによって、リム３ａ（レンズ２ａ）と、リム３ｂ（レンズ２ｂ）とを、レンズ面と略平行な方向（厳密に言うとレンズは曲面であるが、実質的に平面と考えた場合の実質平面と略平行な方向のことである）に回動させて、各々を重ね合わせて折り畳むことができる。
【００３２】
すなわち、図４に、テンプル７を除く構成部の折り畳んだ状態を示すように、リム３ａ（レンズ２ａ）と、リム３ｂ（レンズ２ｂ）が重ねられた状態となり、コンパクトに折り畳むことができる。
【００３３】
また、折り畳み式眼鏡１全体の全ての折り畳み部分を折り畳んだ場合（智６とテンプル７および第１テンプル７ａと第２テンプル７ｂについても折り畳んだ場合）についても、図５にその正面図、図６にその平面図を示したように、非常にコンパクトな状態とすることが可能となる。
【００３４】
次に、特に図７および図８を参照して、ブリッジ４とリム３ａ，３ｂとの回動構造等について詳しく説明する。
【００３５】
図７は、ブリッジと、リム（図７中では不図示）を回動させる軸部材として機能するねじとの概略構成を示しており、（ａ）は正面図、（ｂ）は底面図を示している。
【００３６】
図に示したように、ブリッジ４の両端には、それぞれ回動部５ａ，５ｂが設けられており、回動部５ａ，５ｂは、ブリッジ４に形成される切欠き溝４１，４２と、ねじ部材５１，５２と、図７中では不図示のリム３ａ，３ｂの腕部（図８中３１ａ，３１ｂに相当）から構成される。
【００３７】
図に示したように、本実施の形態の特徴は、従来技術のように回動軸をレンズ面に対して垂直とはせずに、回動軸をレンズ面に対して傾けたことにある。
【００３８】
したがって、ねじ部材５１，５２も傾いて配置されるようにねじ用の貫通孔等も傾斜して設けられると共に、傾いた回動軸を中心にリムが回動可能なように、リムを回動自在に支持する切欠き溝４１，４２も傾斜するように形成されている。
【００３９】
以上のように構成した理由等について図８を用いて説明する。
【００４０】
図８はブリッジとリムをモデル化したモデル図であり、（ａ）は装着する際の使用状態をモデル化した図であり、（ｂ）は折り畳んだ状態をモデル化した図であり、いずれも底面図（図１中下から見た場合に相当）を示している。
【００４１】
図８（ａ）に示すように、ブリッジ４０の両端には、回動部５０ａ，５０ｂが設けられ、それぞれリム３０ａ，３０ｂが回動可能に設けられている。
【００４２】
ここで、図８（ａ）に示すように使用状態においては、リム３０ａ，３０ｂは同一平面Ｍ内に配置されており、すなわち、一対のレンズについても同一平面Ｍ内に配置されることになる。
【００４３】
そして、回動部５０ａ，５０ｂにおける回動軸Ｓ１，Ｓ２は平面Ｍに対して傾けるように（平面Ｍに対して垂直でもない）構成されており、それぞれ回動軸Ｓ１，Ｓ２に対応して、ブリッジ４０には傾斜した切欠き溝４１，４２が設けられると共に、リム３０ａには傾斜した腕３１ａが、また、リム３０ｂには傾斜した腕３１ｂが設けられている。
【００４４】
このように構成することによって、各回動軸Ｓ１，Ｓ２を中心にリム３０ａ，３０ｂを折り畳むと、図８（ｂ）に示したように、リム３０ａとリム３０ｂが干渉することなく（レンズ同士が干渉することもなく）、リム３０ａとリム３０ｂとを重ね合わせた状態に折り畳むことが可能となる。
【００４５】
なお、各回動軸Ｓ１，Ｓ２の傾き角度については、リムやレンズの大きさ（厚さ等）や形状（曲率等）を考慮して、折り畳む際にそれぞれ干渉しない位置となるように設定すれば良い。
【００４６】
以上のように、眼鏡を使用（装着）する場合には、左右のレンズは同一平面内にある（厳密に言うとレンズは曲面であるが、実質的に平面と考えて、各レンズが実質的に同一平面にあるということである）ので、目からレンズまでの距離が左右で等しくなり、矯正能力を損なってしまうことはない。
【００４７】
そして、携帯の際などに、折り畳む場合には、レンズ部材（レンズおよびリム）同士が干渉してしまうことなく折り畳めるので、レンズ部材を傷つけたりしてしまうことなく、コンパクトに折り畳むことが可能となる。
【００４８】
（その他の実施の形態）
上述の説明では、ブリッジに切欠き溝を設けて、リムの腕を挿入させた状態で回動させる構造を示したが、そのような構造に限定されるものではなく、要は、通常の使用状態ではレンズ部材が同一平面内にあり、折り畳む際には、この平面に対して傾斜して回動することで、レンズ部材同士が干渉しないように回動して重なるような構造とすれば良い。
【００４９】
以下、そのような構造についていくつかの形態例を図９〜図１１を参照して説明する。
【００５０】
なお、各図においては、説明簡単のため、上述した図８（ａ）に示したモデル図に比較したモデル図としている。
【００５１】
図９はブリッジに腕を設けて、リムに切欠き溝を設けた場合のモデル図を示している。
【００５２】
すなわち、図９に示したようにブリッジ４０の両端にそれぞれ傾斜した腕４０ａ，４０ｂを設けており、また、リム３０ａには腕４０ａに対応させた切欠き溝３１を、リム３０ｂには腕４０ｂに対応させた切欠き溝３２を設けている。
【００５３】
このように構成した場合でも、上述の実施の形態と同様な効果を得ることができるのは言うまでもない。
【００５４】
図１０はブリッジ及びリムにそれぞれ腕を設けた場合のモデル図を示している。
【００５５】
すなわち、図１０に示したようにブリッジ４０の両端にそれぞれ傾斜面を有した腕４３，４４を設けて、また、リム３０ａには腕４３の傾斜面に対向した傾斜面を有する腕３２ａを設けると共に、リム３０ｂには腕４４の傾斜面に対向した傾斜面を有する腕３２ｂを設けている。
【００５６】
このように構成した場合でも、各傾斜面同士が面接触しながら、回動軸Ｓ１，Ｓ２を中心に回動することで、上述の実施の形態と同様な効果を得ることができるのは言うまでもない。
【００５７】
また、これまでの説明では、ブリッジとリムとを回動自在に構成した場合について説明したが、リムのない眼鏡（縁なし眼鏡）の場合についても適用することができ、すなわち、ブリッジとレンズとを回動自在に構成した場合についても適用できる。
【００５８】
図１１は、その一例のモデル図であり、上述した図８の構成で、リムをレンズそのものに変えた構成例を示している。
【００５９】
すなわち、図１１に示すように、レンズ２０ａに腕２１ａを設けて、レンズ２０ｂに腕２１ｂを設けて、それぞれブリッジ４０の両端に設けられた切欠き溝４１，４２に支持されながら回動する構成となっている。
【００６０】
なお、図９や図１０に示した構成で、リムをレンズそのものとした構成とする場合について適用できることは言うまでもない。
【００６１】
【発明の効果】
以上説明したように、本発明は、使用状態では一対のレンズ部材がいずれも略同一平面内に配置されるので矯正能力が損なってしまうことはなく、各レンズ部材を折り畳んで重ね合わせる場合には、各レンズ部材が干渉することはないので、傷を発生させることなくコンパクトに折り畳むことができ、品質性が向上する。
【図面の簡単な説明】
【図１】本発明の実施の形態に係る使用状態時の折り畳み式眼鏡の概略構成図（正面図）である。
【図２】本発明の実施の形態に係る使用状態時の折り畳み式眼鏡の概略構成図（平面図）である。
【図３】本発明の実施の形態に係る使用状態時の折り畳み式眼鏡の概略構成図（側面図）である。
【図４】本発明の実施の形態に係る折り畳んだ状態時の折り畳み式眼鏡の概略構成図（正面図）である。
【図５】本発明の実施の形態に係る折り畳んだ状態時の折り畳み式眼鏡の概略構成図（正面図）である。
【図６】本発明の実施の形態に係る折り畳んだ状態時の折り畳み式眼鏡の概略構成図（平面図）である。
【図７】本発明の実施の形態に係る折り畳み式眼鏡の主要部の概略構成図である。
【図８】本発明の実施の形態に係る折り畳み式眼鏡のブリッジとリムをモデル化したモデル図である。
【図９】本発明のその他の実施の形態に係る折り畳み式眼鏡のブリッジとリムをモデル化したモデル図である。
【図１０】本発明のその他の実施の形態に係る折り畳み式眼鏡のブリッジとリムをモデル化したモデル図である。
【図１１】本発明のその他の実施の形態に係る折り畳み式眼鏡のブリッジとレンズをモデル化したモデル図である。
【図１２】従来技術に係る使用状態時の折り畳み式眼鏡の概略構成図（正面図）である。
【図１３】従来技術に係る使用状態時の折り畳み式眼鏡の概略構成図（平面図）である。
【図１４】従来技術に係る折り畳んだ状態時の折り畳み式眼鏡の概略構成図（正面図）である。
【符号の説明】
１  折り畳み式眼鏡
２ａ，２ｂ，２０ａ，２０ｂ  レンズ
２１ａ，２１ｂ  腕
３ａ，３ｂ，３０ａ，３０ｂ  リム
３１，３２  切欠き溝
３１ａ，３１ｂ，３２ａ，３２ｂ  腕
４，４０  ブリッジ
４０ａ，４０ｂ，４３，４４  腕
４１，４２  切欠き溝
５ａ，５ｂ，５０ａ，５０ｂ  回動部
５１，５２  ねじ部材
６  智
７  テンプル
【図１】
0003971036.tif 000002
【図２】
0003971036.tif 000003
【図３】
0003971036.tif 000004
【図４】
0003971036.tif 000005
【図５】
0003971036.tif 000006
【図６】
0003971036.tif 000007
【図７】
0003971036.tif 000008
【図８】
0003971036.tif 000009
【図９】
0003971036.tif 000010
【図１０】
0003971036.tif 000011
【図１１】
0003971036.tif 000012
【図１２】
0003971036.tif 000013
【図１３】
0003971036.tif 000014
【図１４】
0003971036.tif 000015